(57)【要約】【課題】多種多様ないずれの用途に無線タグラベルを用いる場合であっても、容易に目的の無線タグラベルを作成する。【解決手段】情報を記憶保持する無線タグ回路素子Ｔcを備えるとともに無線タグ回路素子Ｔoを収納したカートリッジ１００を着脱可能なカートリッジホルダ部と、無線タグ回路素子Ｔoと無線通信を行うアンテナ１４と、操作者の操作に応じて、無線タグ回路素子Ｔoの用途に関する用途関連情報を無線タグ回路素子Ｔcに書き込む高周波回路２１の送信部３２、信号処理回路２２及び制御回路３０とを有する。【選択図】  図８
2006209160.tif 000002
【特許請求の範囲】
【請求項１】
情報を記憶保持する記憶手段を備えタグラベル用無線タグ回路素子を収納した無線タグ回路素子カートリッジを着脱可能なカートリッジホルダ部と、
前記タグラベル用無線タグ回路素子と無線通信を行う装置側アンテナ手段と、
操作者の操作に応じて、前記タグラベル用無線タグ回路素子の用途に関する用途関連情報を前記記憶手段に書き込む書き込み制御手段とを有することを特徴とするタグラベル作成装置。
【請求項２】
請求項１記載のタグラベル作成装置において、
前記書き込み制御手段は、１つの前記無線タグ回路素子カートリッジの前記記憶手段に、複数の前記用途に関する前記用途関連情報を書き込むことを特徴とするタグラベル作成装置。
【請求項３】
請求項２記載のタグラベル作成装置において、
前記書き込み制御手段は、１つの前記無線タグ回路素子カートリッジの前記記憶手段に、作成履歴情報に基づきその順序が決められた複数の前記用途に関する前記用途関連情報を書き込むことを特徴とするタグラベル作成装置。
【請求項４】
請求項２又は３記載のタグラベル作成装置において、
前記記憶手段に書き込まれた、前記タグラベル用無線タグ回路素子の前記複数の用途を表示させるための表示信号を出力する表示信号出力手段を有することを特徴とするタグラベル作成装置。
【請求項５】
請求項１乃至４のいずれか１項記載のタグラベル作成装置において、
前記記憶手段の記憶保持した前記用途関連情報を読み込む読み込み制御手段と、
この読み込み制御手段で読み込んだ前記用途関連情報に基づき、対応する用途に関連して前記操作者が使用する操作用ソフトウエアに関わる制御信号を出力するソフトウエア制御信号出力手段とを有することを特徴とするタグラベル作成装置。
【請求項６】
請求項５記載のタグラベル作成装置において、
前記ソフトウエア制御信号出力手段は、前記制御信号として、前記操作用ソフトウエアの確認表示を行うためのソフトウエア確認表示信号を出力することを特徴とするタグラベル作成装置。
【請求項７】
請求項６記載のタグラベル作成装置において、
前記ソフトウエア制御信号出力手段は、操作者の選択肢となる複数の前記操作用ソフトウエアの確認表示を行う前記ソフトウエア確認表示信号を出力することを特徴とするタグラベル作成装置。
【請求項８】
請求項５乃至７のいずれか１項記載のタグラベル作成装置において、
前記ソフトウエア制御信号出力手段は、前記制御信号として、前記操作用ソフトウエアを決定し指示するソフトウエア指示信号を出力することを特徴とするタグラベル作成装置。
【請求項９】
請求項５乃至８のいずれか１項記載のタグラベル作成装置において、
前記ソフトウエア制御信号出力手段は、予め設定された前記用途関連情報と前記操作用ソフトウエアとの相関情報に基づき、前記制御信号を出力することを特徴とするタグラベル作成装置。
【請求項１０】
請求項９記載のタグラベル作成装置において、
前記相関情報をデータベースから読み込むための相関読み込み指示信号を出力する相関読み込み指示信号出力手段を有することを特徴とするタグラベル作成装置。
【請求項１１】
請求項５乃至１０のいずれか１項記載のタグラベル作成装置において、
前記読み込み制御手段は、前記カートリッジホルダへ前記無線タグ回路素子カートリッジが装着されたとき、又は、装置電源が投入されたとき、前記用途関連情報の読み込みを行うことを特徴とするタグラベル作成装置。
【請求項１２】
請求項１乃至１１のいずれか１項記載のタグラベル作成装置において、
前記記憶手段は、前記装置側アンテナ手段と無線通信を行う用途関連情報用無線タグ回路素子であることを特徴とするタグラベル作成装置。
【請求項１３】
情報を記憶保持する記憶手段を備えタグラベル用無線タグ回路素子を収納した無線タグ回路素子カートリッジを着脱可能なカートリッジホルダ部、前記タグラベル用無線タグ回路素子と無線通信を行う装置側アンテナ手段、及び、前記タグラベル用無線タグ回路素子の用途に関する用途関連情報を前記記憶手段に書き込む書き込み制御手段を有するタグラベル作成装置と、
このタグラベル作成装置の前記書き込み制御手段による書き込み操作を行うための操作端末とを有することを特徴とするタグラベル作成システム。
【請求項１４】
請求項１３記載のタグラベル作成システムにおいて、
前記タグラベル作成装置は、
前記記憶手段の記憶保持した前記用途関連情報を読み込む読み込み制御手段と、
この読み込み制御手段で読み込んだ前記用途関連情報に基づき、対応する用途に関連して前記操作端末において操作者が使用する操作用ソフトウエアの確認表示を行うためのソフトウエア確認表示信号を出力するソフトウエア確認表示信号出力手段とを有し、
前記操作端末は、前記ソフトウエア確認表示信号に応じて前記確認表示を行う表示手段を備えることを特徴とするタグラベル作成システム。
【請求項１５】
請求項１３記載のタグラベル作成システムにおいて、
前記タグラベル作成装置は、
前記記憶手段の記憶保持した前記用途関連情報を読み込む読み込み制御手段と、
この読み込み制御手段で読み込んだ前記用途関連情報に基づき、対応する用途に関連して前記操作端末において操作者が使用する操作用ソフトウエアを決定し指示するソフトウエア指示信号を出力するソフトウエア指示信号出力手段とを有し、
前記操作端末は、前記ソフトウエア指示信号に応じて対応する操作ソフトウエアを起動する起動手段を備えることを特徴とするタグラベル作成システム。
【請求項１６】
請求項１４又は１５記載のタグラベル作成システムにおいて、
前記操作端末は、前記用途関連情報と前記操作用ソフトウエアとの相関情報を記憶保持したデータベースを備えることを特徴とするタグラベル作成システム。
【請求項１７】
請求項１４又は１５記載のタグラベル作成システムにおいて、
前記用途関連情報と前記操作用ソフトウエアとの相関情報を記憶保持した外部記憶装置を有することを特徴とするタグラベル作成システム。
【請求項１８】
タグラベル用無線タグ回路素子を収納した無線タグ回路素子カートリッジであって、
前記タグラベル用無線タグ回路素子の用途に関する用途関連情報を、操作者の操作にて書き換え可能に記憶保持する記憶手段を有することを特徴とする無線タグ回路素子カートリッジ。
【発明の詳細な説明】
【技術分野】
【０００１】
本発明は、外部より無線通信を介し無線タグ情報の読み取り又は書き込みを行える無線タグラベルを作成するタグラベル作成装置及びタグラベル作成システム並びに無線タグ回路素子カートリッジに関する。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。例えばラベル状の無線タグラベルに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、資産管理（例えば、特許文献１参照）や、オフィスでの文書管理（例えば、特許文献２参照）や、人の胸部に着用する名札（例えば、特許文献３参照）等、様々な分野において実用化されつつある。
【０００３】
【特許文献１】特開２００４−２９５４０６号公報
【特許文献２】特開２００１−２１６３０８号公報
【特許文献３】特開平９−２４５１３８号公報
【発明の開示】
【発明が解決しようとする課題】
【０００４】
ところで、上記したように種々の利用法がある無線タグラベルであるが、この無線タグラベルを作成する際には、例えば、所定間隔でテープ長手方向に無線タグ回路素子を設けた帯状のタグテープを駆動してタグテープを繰り出す（又はシート状のタグシートを順次供給する）ことで各無線タグ回路素子を順次搬送する。そして、この搬送の際に、各無線タグ回路素子のアンテナに対し、装置側で生成した所定の無線タグ情報を装置側アンテナを介して送信し、無線タグ回路素子のアンテナに接続されたＩＣ回路部の無線タグ情報に順次アクセス（読み取り又は書き込む）し、無線タグラベルが完成する。
【０００５】
近年、前述したように無線タグラベルの用途が多種多様に拡大されつつあるこ
とから、上記タグラベル作成装置についても、無線タグラベルがそれら広範囲の用途のいずれに用いられる場合であっても当該用途の目的の無線タグラベルが容易に作成できることが望ましい。しかしながら、従来、この点に配慮したタグラベル作成装置は存在せず、操作者の利便性が低かった。
また、仮に、上記広範囲の無線タグラベルの用途に対応し多種多様な無線タグラベル作成機能を備えたタグラベル作成装置を実現したとしても、実際に操作者がタグラベルを作成する場合には、各操作者ごと、あるいは、タグ属性パラメータ（例えばテープ幅等）や通信パラメータ（例えば通信プロトコル等）の異なるテープを用いるごとに、決まった特定の用途（機能）に使用されることが多い。その場合、上記のように多種多様に備えられた機能から、当該特定の機能を選択するための操作が面倒であり、目的の無線タグラベルを容易に作成することができない。
【０００６】
本発明の目的は、多種多様ないずれの用途に無線タグラベルを用いる場合であっても、容易に目的の無線タグラベルを作成できるタグラベル作成装置及びタグラベル作成システム並びに無線タグ回路素子カートリッジを提供することにある。
【課題を解決するための手段】
【０００７】
（１）上記目的を達成するために、第１の発明は、情報を記憶保持する記憶手段を備えるとともにタグラベル用無線タグ回路素子を収納した無線タグ回路素子カートリッジを着脱可能なカートリッジホルダ部と、前記タグラベル用無線タグ回路素子と無線通信を行う装置側アンテナ手段と、操作者の操作に応じて、前記タグラベル用無線タグ回路素子の用途に関する用途関連情報を前記記憶手段に書き込む書き込み制御手段とを有することを特徴とする。
【０００８】
本願第１発明においては、タグラベル用無線タグ回路素子を収納した無線タグ回路素子カートリッジを用いて無線タグラベル作成時、操作者が適宜の操作を行うと、書き込み制御手段がタグラベル用無線タグ回路素子がどのような用途に使用されるかに関する用途関連情報を、当該カートリッジに設けた記憶手段に書き込む。これにより、カートリッジ及びこれに収納された無線タグ回路素子とこれに対応する用途とを関連づけることができる。したがって、これ以降、当該カートリッジを用いて無線タグラベルを作成する際、その関連づけを用いて、その用途に応じた操作用ソフトウエアの起動や関連表示のための制御等、操作者のタグラベル作成の便宜を図る制御を、自動的に実行することが可能となる。この結果、操作者は、多種多様ないずれの用途にタグラベルを用いる場合であっても、面倒な操作（特に多機能から操作者の使いたい機能を選択する操作）を行うことなく、容易に目的のタグラベルを作成でき、利便性を向上することができる。
【０００９】
（２）第２の発明は、上記第１発明において、前記書き込み制御手段は、１つの前記無線タグ回路素子カートリッジの前記記憶手段に、複数の前記用途に関する前記用途関連情報を書き込むことを特徴とする。
【００１０】
複数の用途に関する用途関連情報がカートリッジに設けた記憶手段に書き込まれることにより、これ以降、当該カートリッジを用いて無線タグラベルを作成する際、操作者がその複数の用途の中から所望の用途を選択すると、その選択した用途とカートリッジ及びこれに収納された無線タグ回路素子とを関連づけることが可能となる。
【００１１】
（３）第３の発明は、上記第２発明において、前記書き込み制御手段は、１つの前記無線タグ回路素子カートリッジの前記記憶手段に、作成履歴情報に基づきその順序が決められた複数の前記用途に関する前記用途関連情報を書き込むことを特徴とする。
【００１２】
作成履歴に基づいて複数の用途に関する用途関連情報が順序をもってカートリッジに設けた記憶手段に書き込まれることにより、当該カートリッジを用いて無線タグラベルを作成するときに操作者がその複数の用途の中から所望の用途を選択する際、作成履歴により用途関連情報の順序が決められるので、たとえば最も頻繁に用いられる用途を表示や選択の際に最初に配置して利用者の利便性を向上させることが可能となる。
【００１３】
（４）第４の発明は、上記第２又は第３発明において、前記記憶手段に書き込まれた、前記タグラベル用無線タグ回路素子の前記複数の用途を表示させるための表示信号を出力する表示信号出力手段を有することを特徴とする。
【００１４】
これにより、表示信号出力手段により表示した複数の用途の中から操作者が所望の用途を選択することで、その選択した用途とカートリッジ及びこれに収納された無線タグ回路素子とを関連づけることができる。
【００１５】
（５）第５の発明は、上記第１乃至第４発明のいずれか１つにおいて、前記記憶手段の記憶保持した前記用途関連情報を読み込む読み込み制御手段と、この読み込み制御手段で読み込んだ前記用途関連情報に基づき、対応する用途に関連して前記操作者が使用する操作用ソフトウエアに関わる制御信号を出力するソフトウエア制御信号出力手段とを有することを特徴とする。
【００１６】
これにより、読み込み制御手段がカートリッジの記憶手段の用途関連情報を読み込むと、自動的にその用途に関連する操作用ソフトウエアの選択、起動や関連表示のための制御等、操作者のタグラベル作成の便宜を図る制御が実行される。
【００１７】
（６）第６の発明は、上記第５発明において、前記ソフトウエア制御信号出力手段は、前記制御信号として、前記操作用ソフトウエアの確認表示を行うためのソフトウエア確認表示信号を出力することを特徴とする。
【００１８】
これにより、読み込み制御手段がカートリッジの記憶手段の用途関連情報を読み込むと、自動的にその用途に関連する操作用ソフトウエアの確認表示が実行される。
【００１９】
（７）第７の発明は、上記第６発明において、前記ソフトウエア制御信号出力手段は、操作者の選択肢となる複数の前記操作用ソフトウエアの確認表示を行う前記ソフトウエア確認表示信号を出力することを特徴とする。
【００２０】
これにより、複数の操作用ソフトウエアの確認表示が実行され、操作者はその選択肢の中から自己の用いたいソフトウエアを選択することができる。
【００２１】
（８）第８の発明は、上記第５乃至第７発明のいずれか１つにおいて、前記ソフトウエア制御信号出力手段は、前記制御信号として、前記操作用ソフトウエアを決定し指示するソフトウエア指示信号を出力することを特徴とする。
【００２２】
これにより、読み込み制御手段がカートリッジの記憶手段の用途関連情報を読み込むと、自動的にその用途に関連する操作用ソフトウエアが決定されてその起動が実行される。
【００２３】
（９）第９の発明は、上記第５乃至第８発明のいずれか１つにおいて、前記ソフトウエア制御信号出力手段は、予め設定された前記用途関連情報と前記操作用ソフトウエアとの相関情報に基づき、前記制御信号を出力することを特徴とする。
【００２４】
読み込み制御手段がカートリッジの記憶手段の用途関連情報を読み込むと、相関情報を用いて用途関連情報に対応した操作用ソフトウエアが参照され、これによって操作用ソフトウエアの起動や関連表示のための制御等、操作者のタグラベル作成の便宜を図る制御が実行される。
【００２５】
（１０）第１０の発明は、上記第９発明において、前記相関情報をデータベースから読み込むための相関読み込み指示信号を出力する相関読み込み指示信号出力手段を有することを特徴とする。
【００２６】
相関読み込み指示信号によってデータベースから相関を読み込み、この読み込んだ相関を用いて用途関連情報に対応した操作用ソフトウエアを参照することができる。
【００２７】
（１１）第１１の発明は、上記第５乃至第１０発明のいずれか１つにおいて、前記読み込み制御手段は、前記カートリッジホルダへ前記無線タグ回路素子カートリッジが装着されたとき、又は、装置電源が投入されたとき、前記用途関連情報の読み込みを行うことを特徴とする。
【００２８】
これにより、操作者がカートリッジを装着すると（あるいは装置電源を投入すると）自動的に用途関連情報がカートリッジの記憶手段から読み込まれ、その用途に関連する操作用ソフトウエアの起動や関連表示のための制御等、操作者のタグラベル作成の便宜を図る制御が実行される。
【００２９】
（１２）第１２の発明は、上記第１乃至第１１発明のいずれか１つにおいて、前記記憶手段は、前記装置側アンテナ手段と無線通信を行う用途関連情報用無線タグ回路素子であることを特徴とする。
【００３０】
これにより、記憶手段の用途関連情報を、無線通信を介し非接触で装置側アンテナ手段にて迅速に読み込むことができる。
【００３１】
（１３）上記目的を達成するために、第１３の発明は、情報を記憶保持する記憶手段を備えタグラベル用無線タグ回路素子を収納した無線タグ回路素子カートリッジを着脱可能なカートリッジホルダ部、前記タグラベル用無線タグ回路素子と無線通信を行う装置側アンテナ手段、及び、前記タグラベル用無線タグ回路素子の用途に関する用途関連情報を前記記憶手段に書き込む書き込み制御手段を有するタグラベル作成装置と、このタグラベル作成装置の前記書き込み制御手段による書き込み操作を行うための操作端末とを有することを特徴とする。
【００３２】
本願第１３発明においては、タグラベル用無線タグ回路素子を収納した無線タグ回路素子カートリッジを用いて無線タグラベル作成時、操作者が操作端末より適宜の操作を行うと、タグラベル作成装置の書き込み制御手段がタグラベル用無線タグ回路素子がどのような用途に使用されるかに関する用途関連情報を、当該カートリッジに設けた記憶手段に書き込む。これにより、カートリッジ及びこれに収納された無線タグ回路素子とこれに対応する用途とを関連づけることができる。したがって、これ以降、当該カートリッジを用いて無線タグラベルを作成する際、その関連づけを用いて、操作端末側にその用途に応じた操作用ソフトウエアの起動や関連表示のための制御等、操作者のタグラベル作成の便宜を図る制御が、自動的に実行させることが可能となる。この結果、操作者は、多種多様ないずれの用途にタグラベルを用いる場合であっても、面倒な操作（特にタグラベル作成装置の操作者の使いたい機能を選択する操作）を行うことなく、容易に目的のタグラベルを作成することができ、利便性を向上することができる。
【００３３】
（１４）第１４の発明は、上記第１３発明において、前記タグラベル作成装置は、前記記憶手段の記憶保持した前記用途関連情報を読み込む読み込み制御手段と、この読み込み制御手段で読み込んだ前記用途関連情報に基づき、対応する用途に関連して前記操作端末において操作者が使用する操作用ソフトウエアの確認表示を行うためのソフトウエア確認表示信号を出力するソフトウエア確認表示信号出力手段とを有し、前記操作端末は、前記ソフトウエア確認表示信号に応じて前記確認表示を行う表示手段を備えることを特徴とする。
【００３４】
これにより、タグラベル作成装置の読み込み制御手段がカートリッジの記憶手段の用途関連情報を読み込むと、操作端末の表示手段で自動的にその用途に関連する操作用ソフトウエアの確認表示が実行される。
【００３５】
（１５）第１５の発明は、上記第１３発明において、前記タグラベル作成装置は、前記記憶手段の記憶保持した前記用途関連情報を読み込む読み込み制御手段と、この読み込み制御手段で読み込んだ前記用途関連情報に基づき、対応する用途に関連して前記操作端末において操作者が使用する操作用ソフトウエアを決定し指示するソフトウエア指示信号を出力するソフトウエア指示信号出力手段とを有し、前記操作端末は、前記ソフトウエア指示信号に応じて対応する操作ソフトウエアを起動する起動手段を備えることを特徴とする。
【００３６】
これにより、タグラベル作成装置の読み込み制御手段がカートリッジの記憶手段の用途関連情報を読み込むと、操作端末の起動手段が自動的にその用途に関連する操作用ソフトウエアの起動を実行する。
【００３７】
（１６）第１６の発明は、上記第１４又は第１５発明において、前記操作端末は、前記用途関連情報と前記操作用ソフトウエアとの相関情報を記憶保持したデータベースを備えることを特徴とする。
【００３８】
操作端末のデータベース内の相関情報が読み込まれ、この読み込んだ相関を用いて記憶手段の用途関連情報に対応した操作用ソフトウエアを操作端末側で又はタグラベル作成装置側で参照することができる。
【００３９】
（１７）第１７の発明は、上記第１４又は第１５発明において、前記用途関連情報と前記操作用ソフトウエアとの相関情報を記憶保持した外部記憶装置を有することを特徴とする。
【００４０】
操作端末及びタグラベル作成装置とは別に設けた外部記憶装置のデータベース内の相関情報が読み込まれ、この読み込んだ相関を用いて、記憶手段の用途関連情報に対応した操作用ソフトウエアを操作端末側で又はタグラベル作成装置側で参照することができる。
【００４１】
（１８）上記目的を達成するために、第１８の発明は、タグラベル用無線タグ回路素子を収納した無線タグ回路素子カートリッジであって、前記タグラベル用無線タグ回路素子の用途に関する用途関連情報を、操作者の操作にて書き換え可能に記憶保持する記憶手段を有することを特徴とする。
【００４２】
本願第１８発明においては、タグラベル用無線タグ回路素子を収納した無線タグ回路素子カートリッジに設けた記憶手段に、当該タグラベル用無線タグ回路素子がどのような用途に使用されるかに関する用途関連情報が記憶保持されている。これにより、カートリッジ及びこれに収納された無線タグ回路素子とこれに対応する用途とが関連づけられるので、当該カートリッジを用いて無線タグラベルを作成する際、その関連づけを用いて、その用途に応じた操作用ソフトウエアの起動や関連表示のための制御等、操作者のタグラベル作成の便宜を図る制御を、自動的に実行することが可能となる。この結果、操作者は、多種多様ないずれの用途にタグラベルを用いる場合であっても、面倒な操作（特にタグラベル作成装置の操作者の使いたい機能を選択する操作）を行うことなく、容易に目的のタグラベルを作成することができ、利便性を向上することができる。
【発明の効果】
【００４３】
本発明によれば、多種多様ないずれの用途に無線タグラベルを用いる場合であっても、容易に目的の無線タグラベルを作成できる。
【発明を実施するための最良の形態】
【００４４】
以下、本発明の実施の形態を図面を参照しつつ説明する。
【００４５】
図１は、本実施形態のタグラベル作成装置が適用される無線タグ生成システムを表すシステム構成図である。
【００４６】
図１に示すこの無線タグ生成システム１（タグラベル作成システム）において、タグラベル作成装置２は、有線あるいは無線による通信回線３を介してルートサーバ４、タグラベル作成装置２を操作するための端末５（操作端末）、汎用コンピュータ６、及び情報サーバ７（外部記憶装置）に接続されて、（例えば広域の）ネットワークを構築している。
【００４７】
上記端末５はいわゆるＰＣ（パーソナルコンピュータ）端末であり、表示手段であるディスプレイ５ａ及び入力手段であるキーボード（マウス等でもよい）５ｂを備えると共に、図示しない中央演算処理装置であるＣＰＵ（起動手段）や記憶手段としてのＲＯＭ及びＲＡＭ（データベース）等を有している。上記ＣＰＵは、通信回線３を介して入力される外部信号に基づき、例えばＲＯＭに予め記憶されたタグラベル作成装置２を操作するためのアプリケーションを起動するようになっている（詳細は後述）。
【００４８】
図２は、上記タグラベル作成装置２の詳細構造を表す概念的構成図である。
【００４９】
図２において、タグラベル作成装置２の装置本体８には、凹所としてのカートリッジホルダ部（図示せず）が設けられ、このホルダ部に、カートリッジ１００（無線タグ回路素子カートリッジ）が着脱可能に取り付けられている。
【００５０】
装置本体８は、カートリッジ１００を嵌合させる上記カートリッジホルダ部を備えるとともに外郭を構成する筐体９と、カバーフィルム１０３に所定の印字（印刷）を行う印字手段としての印字ヘッド（この例ではサーマルヘッド）１０と、カバーフィルム１０３への印字が終了したインクリボン１０５を駆動するリボン巻取りローラ駆動軸１１と、カバーフィルム１０３と基材テープ１０１とを貼り合わせつつ印字済タグラベル用テープ１１０としてカートリッジ１００から繰り出すための圧着ローラ駆動軸１２と、印字済タグラベル用テープ１１０に備えられる無線タグ回路素子Ｔo（タグラベル用無線タグ回路素子、詳細は後述）との間でＵＨＦ帯等の高周波を用いて無線通信により信号の送受を行うアンテナ１４（装置側アンテナ手段）と、カートリッジ１００に備えられる無線タグ回路素子Ｔc（記憶手段、用途関連情報用無線タグ回路素子）との間で上記同様に無線通信により信号の送受を行うアンテナ１９（装置側アンテナ手段）と、上記印字済タグラベル用テープ１１０を所定のタイミングで所定の長さに切断しラベル状の無線タグラベルＴ（詳細は後述）を生成するカッタ１５と、上記無線通信による信号送受時において無線タグ回路素子Ｔoをアンテナ１４に対向する所定のアクセスエリアに設定保持するとともに、切断後のテープ１１０（＝無線タグラベルＴ）を案内するための一対の搬送ガイド１３と、その案内された無線タグラベルＴを搬出口（排出口）１６へと搬送し送出する送出ローラ１７と、搬出口１６における無線タグラベルＴの有無を検出する排出センサ１８とを有する。
【００５１】
一方、装置本体８はまた、上記アンテナ１４を介し上記無線タグ回路素子Ｔoへ、また上記アンテナ１９を介し上記無線タグ回路素子Ｔcへと、それぞれアクセスする（読み取り又は書き込みを行う）ための高周波回路２１と、無線タグ回路素子Ｔo、Ｔcから読み出された信号を処理するための信号処理回路２２と、前述したリボン巻取りローラ駆動軸１１、テープ送りローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、上記高周波回路２１、信号処理回路２２、カートリッジ駆動回路２４、印刷駆動回路２５、ソレノイド駆動回路２７、送出ローラ駆動回路２９等を介し、タグラベル作成装置２全体の動作を制御するための制御回路３０とを有する。
【００５２】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線３に接続され、この通信回線３に接続された前述のルートサーバ４、他の端末５、汎用コンピュータ６、及び情報サーバ７等との間で情報のやりとりが可能となっている。
【００５３】
図３は、カートリッジ１００の詳細構造を説明するための説明図である。
【００５４】
この図３において、カートリッジ１００は、筐体１００Ａと、この筐体１００Ａ内に配置され帯状の上記基材テープ１０１が巻回された第１ロール１０２と、上記基材テープ１０１と略同じ幅である透明な上記カバーフィルム１０３が巻回された第２ロール１０４と、上記インクリボン１０５（熱転写リボン、但しカバーフィルムが感熱テープの場合は不要）を繰り出すリボン供給側ロール１１１と、印字後のリボン１０５を巻取るリボン巻取りローラ１０６と、上記基材テープ１０１と上記カバーフィルム１０３とを押圧し接着させ上記印字済タグラベル用テープ１１０としつつ矢印Ａで示す方向にテープ送りをする（＝テープ送りローラとしても機能する）圧着ローラ１０７と、上記筐体１００Ａにおける前記装置本体８側のアンテナ１９とほぼ向かい合う位置に設けられた上記無線タグ回路素子Ｔcとを有する。
【００５５】
第１ロール１０２は、リール部材１０２ａの周りに、長手方向に複数の無線タグ回路素子Ｔoが所定の等間隔で順次形成された上記基材テープ１０１を巻回している。
【００５６】
基材テープ１０１はこの例では４層構造となっており（図３中部分拡大図参照）、内側に巻かれる側（図３中右側）よりその反対側（図３中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙１０１ｄの順序で積層され構成されている。
【００５７】
ベースフィルム１０１ｂの裏側（図３中左側）には、情報の送受信を行うアンテナ１５２が一体的に設けられており、これに接続するように情報を更新可能に（書き換え可能rewritableに）記憶するＩＣ回路部１５１が形成され、これらによって無線タグ回路素子Ｔoが構成されている（上記無線タグ回路素子Ｔcも同様）。
【００５８】
ベースフィルム１０１ｂの表側（図３中右側）には、後にカバーフィルム１０３を接着するための上記粘着層１０１ａが形成され、またベースフィルム１０１ｂの裏側（図３中左側）には、無線タグ回路素子Ｔoを内包するように設けた上記粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
【００５９】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるリボン１０５が、上記印字ヘッド１０に押圧されることで当該カバーフィルム１０３の裏面に当接させられるようになっている。
【００６０】
リボン巻取りローラ１０６及び圧着ローラ１０７は、それぞれカートリッジ１００外に設けた例えばパルスモータである上記カートリッジ用モータ２３（前述の図２参照）の駆動力が上記リボン巻取りローラ駆動軸１１及び上記テープ送りローラ駆動軸１２に伝達されることによって回転駆動される。
【００６１】
無線タグ回路素子Ｔcには、このカートリッジ１００が有する無線タグ回路素子Ｔoの用途関連情報が記憶されている。ここで、用途関連情報とは、無線タグ回路素子Ｔoがどのような用途に使用されるかに関する情報であり、本実施形態では、無線タグ回路素子Ｔoの用途と１対１で関連づけられたＩＤ情報が記憶されている（以下、単にＩＤ情報と称する）。そして、基材テープ１０１に備えられる各無線タグ回路素子ＴoのＩＣ回路部１５１の無線タグ情報に対しアンテナ１４よりアクセスを行う前に先立ち、そのＩＤ情報が読み取られるようになっている（詳細は後述）。
【００６２】
上記構成のカートリッジ１００において、上記第１ロール１０２より繰り出された基材テープ１０１は、圧着ローラ１０７へと供給される。一方、第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるインクリボン１０５が、上記印字ヘッド１０に押圧されることで当該カバーフィルム１０３の裏面に当接させられるようになっている。
【００６３】
そして、カートリッジ１００が上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述のテープ送りローラ駆動軸１２と上記サブローラ１０９及びプラテンローラ１０８はギヤ（図示せず）にて連結されており、テープ送りローラ駆動軸１２の駆動に伴い圧着ローラ１０７、サブローラ１０９、及びプラテンローラ１０８が回転し、第１ロール１０２から基材テープ１０１が繰り出され、上述のように圧着ローラ１０７へ供給される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面に印字Ｒ（後述の図６参照）が印刷される。そして、上記基材テープ１０１と上記印刷が終了したカバーフィルム１０３とが上記圧着ローラ１０７及びサブローラ１０９により接着されて一体化され、印字済タグラベル用テープ１１０として形成され、カートリッジ１００外へと搬出される。なお、カバーフィルム１０３への印字が終了したインクリボン１０５は、リボン巻取りローラ駆動軸１１の駆動によりリボン巻取りローラ１０６に巻取られる。
【００６４】
図４は、上記高周波回路２１の詳細機能を表す機能ブロック図である。この図４において、高周波回路２１は、制御回路３０により切り替えられるアンテナスイッチ（切替）回路３４１と、このアンテナスイッチ回路３４１を経てアンテナ１４，１９を介し無線タグ回路素子Ｔo，Ｔcに対して信号を送信する送信部３２と、アンテナ１４，１９により受信された無線タグ回路素子Ｔo，Ｔcからの反射波を入力する受信部３３と、送受分離器３４とから構成される。
【００６５】
アンテナスイッチ回路３４１は、周知の高周波用ＦＥＴやダイオードを用いたスイッチ回路であり、制御回路３０からの選択信号によりアンテナ１４，１９のいずれかを送受分離器３４に接続するものである。
【００６６】
送信部３２は、制御回路３０からの制御信号に応じ、無線タグ回路素子Ｔo，ＴcのＩＣ回路部１５１の無線タグ情報にアクセス(読み取り又は書き込み)するための搬送波を発生させる水晶振動子３５、ＰＬＬ（Phase Locked Loop）３６、及びＶＣＯ（Voltage
Controlled Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波（無線タグ情報）を、制御回路３０からの「ＴＸ＿ＰＷＲ」信号によって増幅率を決定し増幅する可変送信アンプ３９とを備えている。そして、上記発生される搬送波は、好適にはＵＨＦ帯の周波数を用いており、上記送信アンプ３９の出力は、送受分離器３４を介してアンテナスイッチ回路３４１を経てアンテナ１４，１９のいずれかに伝達されて無線タグ回路素子Ｔo，ＴcのＩＣ回路部１５１に供給される。なお、無線タグ情報は上記のように変調した信号に限られず、単なる搬送波のみの場合もある。
【００６７】
受信部３３は、アンテナ１４，１９により受信された無線タグ回路素子Ｔo，Ｔcからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅する受信第１アンプ４３と、この受信第１アンプ４３の出力をさらに増幅してデジタル信号に変換する第１リミッタ４２と、上記アンテナ１４，１９により受信された無線タグ回路素子Ｔo，Ｔcからの反射波と上記発生された後に位相が９０°遅れた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を増幅する受信第２アンプ４７と、この受信第２アンプ４７の出力をさらに増幅してデジタル信号に変換する第２リミッタ４６とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００６８】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態のタグラベル作成装置２では、Ｉ−Ｑ直交復調によって無線タグ回路素子Ｔo,Ｔcからの反射波の復調が行われる。
【００６９】
図５は、上記無線タグ回路素子Ｔoの機能的構成を表す機能ブロック図である。この図５において、無線タグ回路素子Ｔoは、タグラベル作成装置２側のアンテナ１４とＵＨＦ帯等の高周波を用いて非接触で信号の送受信を行う上記アンテナ１５２と、このアンテナ１５２に接続された上記ＩＣ回路部１５１とを有している。
【００７０】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００７１】
変復調部１５８は、アンテナ１５２により受信された上記タグラベル作成装置２のアンテナ１４からの通信信号の復調を行うと共に、上記制御部１５５からの応答信号に基づき、アンテナ１５２より受信された搬送波を変調反射する。
【００７２】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００７３】
なお、詳細な図示を省略するが、カートリッジ１００に設けられた無線タグ回路素子Ｔcについても、上記無線タグ回路素子Ｔoと同様の構造であって、ＩＣ回路部１５１及びアンテナ１５２等が備えられている。
【００７４】
図６（ａ）及び図６（ｂ）は、上述のようにして無線タグ回路素子Ｔoの情報書き込み及び印字済タグラベル用テープ１１０の切断が完了し形成された無線タグラベルＴの外観の一例を表す図であり、図６（ａ）は上面図、図６（ｂ）は下面図である。また図７は、図６中VII−VII′断面による横断面図である。
【００７５】
これら図６（ａ）、図６（ｂ）、及び図７において、無線タグラベルＴは、図３に示した４層構造にカバーフィルム１０３が加わった５層構造となっており、カバーフィルム１０３側（図７中上側）よりその反対側（図７中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２を含む無線タグ回路素子Ｔoが粘着層１０１ｃ内に備えられるとともに、カバーフィルム１０３の裏面に印字Ｒ（この例では無線タグラベルＴの種類を示す「ＲＦ−ＩＤ」の文字）が印刷されている。
【００７６】
図８は、上述した無線タグラベルＴの作成、すなわち、カバーフィルム１０３を搬送し印字ヘッド１０で所定の印字を行いつつ基材テープ１０１を貼り合わせて印字済タグラベル用テープ１１０とした後印字済タグラベル用テープ１１０を無線タグ回路素子Ｔoごとに切断し無線タグラベルＴとする際に、制御回路３０によって実行される制御手順を表すフローチャートである。
【００７７】
この図８において、例えば操作者が端末５（又は汎用コンピュータ６でもよい。以下、同様）を介し、タグラベル作成装置２におけるタグ情報読み取り又は書き込み操作（言い換えればタグラベル作成操作）を行うとこのフローが開始される。まずステップＳ１０において、カートリッジ１００に備えられた無線タグ回路素子Ｔcのメモリ部１５７（先の図５参照）内に予め記憶された上記ＩＤ情報に基づき、対応する用途に関連して操作者が端末５において使用するタグラベル作成装置２操作用のアプリケーション（操作用ソフトウェア。なお、印刷フォーマットのテンプレートでもよい）の選択処理を行う（後述の図９参照）。
【００７８】
次のステップＳ５０では、タグアクセスをテープ側に切り替える。具体的には、アンテナスイッチ回路３４１に選択信号を出力し、アンテナ１４が送受分離器３４に接続されるようにアンテナスイッチ回路３４１を切り替える。
【００７９】
その後、ステップＳ１００に移り、上記ステップＳ１０で選択されたアプリケーションを用いて上記端末５を介して入力操作された、アンテナ１４より無線タグ回路素子ＴoのＩＣ回路部１５１へ書き込むべき無線タグ情報と印字ヘッド１０により無線タグラベルＴへ印字すべき印字情報とに従って、無線タグ回路素子ＴoのＩＣ回路部１５１のメモリ部１５７への無線タグ情報の書き込み及びカバーフィルム１０３への所定の印字を行い（なお、読み取り処理の場合には、上記ステップＳ１０で選択されたアプリケーションを用いて上記端末５を介して入力操作された、印字ヘッド１０により無線タグラベルＴへ印字すべき印字情報に従って、カバーフィルム１０３への所定の印字を行い）、印字済タグラベル用テープ１１０を無線タグ回路素子Ｔoごとに切断して無線タグラベルＴを作成する無線タグラベル作成処理を行い（詳細は後述の図１４乃至図１６を参照）、このフローを終了する。なお、予め無線タグ回路素子Ｔoを含む所定領域に引き剥がし用のカット線が形成されたいわゆるダイカットタイプのラベル素材に対し上記無線タグラベル作成処理を行う場合には、上記切断は不要となる。
【００８０】
図９は、上述したステップＳ１０の詳細手順を表すフローチャートである。
【００８１】
図９において、まず、ステップＳ１１において、上記タグラベル作成装置２の装置本体８に設けられたカートリッジホルダ部にカートリッジ１００が装着されたか否かを判定する。具体的には、特に図示して説明はしないが、例えばカートリッジ１００の筐体１００Ａに対しバネ部材で接点を付勢当接させることでカートリッジ１００の有無を検出するメカニカルスイッチや、例えば制御回路３０からの信号により発光する発光ダイオード及びその発光の筐体１００Ａによる反射光を受光し対応する検出信号を制御回路３０に出力するフォトトランジスタを備えたセンサ等によりカートリッジ１００の装着を検出し、その検出信号を入力することにより行うようになっている。
【００８２】
その後、ステップＳ１２において、タグアクセスをカートリッジ側に切り替える。具体的には、アンテナスイッチ回路３４１に選択信号を出力し、アンテナ１９が送受分離器３４に接続されるようにアンテナスイッチ回路３４１を切り替える。
【００８３】
次のステップＳ１３では、カートリッジ１００に備えられた無線タグ回路素子Ｔcのメモリ部１５７（先の図５参照）内に予め記憶された上記ＩＤ情報の読み取り処理を行う（後述の図１３参照）。
【００８４】
次のステップＳ１４では、タグラベル作成装置２操作用のアプリケーションの新規登録を行う操作が行われたか否かを判定する。具体的には、入出力インターフェイス３１及び通信回線３を介して端末５のＣＰＵに制御信号を出力し、ディスプレイ５ａにアプリケーションの新規登録を行うか否かを問うメッセージ画面を表示させる（図１０参照）。このメッセージに促され、操作者がキーボード５ｂ（又は図示しないマウス等でもよい）を用いて新規登録を行うか否かを入力すると、その入力信号が通信回線３及び入出力インターフェイス３１を介して制御回路３０に入力され、これにより判定を行う。例えば、用いようとしているアプリケーションが今までに使用されたことがあり既にカートリッジ１００側の無線タグ回路素子Ｔcに記憶されたＩＤ情報との関連づけがなされたものである場合等には、操作者により新規登録をしない旨が入力され、判定が満たされずに次のステップＳ１５に移る。
【００８５】
ステップＳ１５では、例えば情報サーバ７に制御信号（相関読み込み指示信号）を出力し、情報サーバ７のメモリ等に予め記憶された、カートリッジ１００側の無線タグ回路素子Ｔcに記憶されたＩＤ情報とタグラベル作成装置２操作用のアプリケーションとが１対１で関連づけられた相関情報を、通信回線３及び入出力インターフェイス３１を介して読み込む。そして、この読み込んだ相関情報を制御回路３０が有する前記ＲＡＭ等に一次的に記憶する。なお、上記相関情報により１つのＩＤ情報に対し複数のアプリケーションが関連づけられていてもよい（後述の変形例も参照）。この場合、それら複数のアプリケーションを、予め、過去の無線タグラベルの作成履歴に基づく所定の順序（例えば使用頻度の高いものを優先する等）で関連づけ、この順序情報も併せて上記相関情報に含まれるようにしておき、このステップＳ１５で読み込むようにしてもよい。さらにこの順序情報は情報サーバ７でなくＩＤ情報とともに無線タグ回路素子Ｔcに記憶しておくようにしてもよい。
【００８６】
次のステップＳ１６では、上記ステップＳ１５でＲＡＭに記憶した相関情報に基づき、先のステップＳ１３でカートリッジ１００側の無線タグ回路素子Ｔcから読み取ったＩＤ情報と関連づけられたアプリケーションを選択する。そして、入出力インターフェイス３１及び通信回線３を介して端末５のＣＰＵに制御信号（ソフトウェア確認表示信号）を出力し、ディスプレイ５ａに上記選択したアプリケーションの名称等（例えば記号、アイコン等でもよい。すなわち、選択されたアプリケーションが判別できる表示であればよい）を表示させる（言い換えれば無線タグ回路素子Ｔoの用途を表示させることに相当する）と共に、この選択アプリケーションを承認するか否かを問うメッセージ画面を表示させる。このときの選択処理画面の一例を図１１に示す。図１１の例では、固定資産管理、名札管理、文書管理の３つのアプリケーションのうち、固定資産管理が選択されている。
【００８７】
次のステップＳ１７では、上記ステップＳ１６で選択されたアプリケーションが承認されたか否かを判定する。具体的には、操作者により端末５のキーボード５ｂを介して承認するか否かが入力され、その入力信号が通信回線３及び入出力インターフェイス３１を介して制御回路３０に入力されたかどうかを判定する。承認された場合には判定が満たされて次のステップＳ１８に移る。
【００８８】
ステップＳ１８では、入出力インターフェイス３１及び通信回線３を介して端末５のＣＰＵに制御信号（ソフトウェア指示信号）を出力し、当該アプリケーションを起動させる。
【００８９】
一方、先のステップＳ１４において、例えば、用いようとしているアプリケーションが今までに使用されたことがなく未だ無線タグ回路素子Ｔcに記憶されたＩＤ情報との関連づけがなされていないものである場合や、既にＩＤ情報との関連づけがなされているがその関連づけを変更したい場合等には、操作者により新規登録を行う旨が入力され、判定が満たされて、次のステップＳ１９に移る。
【００９０】
ステップＳ１９では、入出力インターフェイス３１及び通信回線３を介して端末５のＣＰＵに制御信号を出力し、ディスプレイ５ａに先のステップＳ１３で無線タグ回路素子Ｔcから読み取ったＩＤ情報を表示させる。そして、次のステップＳ２０に移る。
【００９１】
なお、先のステップＳ１７で選択アプリケーションが承認されなかった場合にも、判定が満たされずに次のステップＳ２０に移る。
【００９２】
ステップＳ２０では、入出力インターフェイス３１及び通信回線３を介して端末５のＣＰＵに制御信号を出力し、端末５のＲＯＭ（又はＲＡＭでもよい）に予め記憶されたタグラベル作成装置２を操作するためのアプリケーション（単数及び複数のどちらの場合も含む）の名称等（例えば記号、アイコン等でもよい。すなわち、アプリケーションが判別できる表示であればよい）をディスプレイ５ａに一覧表示させる（言い換えれば無線タグ回路素子Ｔoの用途を一覧表示させることに相当する）。なおこのとき、このアプリケーションの一覧表示と、上記ステップＳ１９で表示されたＩＤ情報とは、ディスプレイ５ａ上で並列して表示されるようになっている（なお、片方ずつ表示してもよい）。
【００９３】
次のステップＳ２１では、操作者が上記ステップＳ２０においてディスプレイ５ａに一覧表示されたアプリケーションの中から１つのアプリケーションを選択したか否かが判定される。具体的には、操作者がキーボード５ｂを用いてアプリケーションを選択し、その選択入力信号が通信回線３及び入出力インターフェイス３１を介して制御回路３０に入力されたかどうかを判定する。選択された場合には次のステップＳ２２に移る。
【００９４】
ステップＳ２２では、上記ステップＳ２１で選択されたアプリケーションと先のステップＳ１３で無線タグ回路素子Ｔcから読み取ったＩＤ情報とを１対１に対応させ、相関情報として入出力インターフェイス３１及び通信回線３を介して例えば情報サーバ７に出力し、情報サーバ７が有するメモリ等に当該相関情報を記憶させる。
【００９５】
次のステップＳ２３では、入出力インターフェイス３１及び通信回線３を介して端末５のＣＰＵに制御信号（ソフトウェア指示信号）を出力し、先のステップＳ２１で選択されたアプリケーションを起動させる。
【００９６】
以上により、タグラベル作成装置２操作用のアプリケーションの選択が完了し、アプリケーション選択処理のフローが終了する。
なお、上述したようにカートリッジ１００側の無線タグ回路素子ＴcのＩＤ情報と複数のアプリケーションが関連づけられているときには、上記ステップＳ１６においてそれら複数のアプリケーションが選択され、ディスプレイ５ａ上に表示される。このとき、選択された複数のアプリケーションを単純に並列的に表示してもよいし、最も使用頻度の高いもの、あるいは最も最近使用されたものを優先して上位に表示してもよい。さらに、以上説明したアプリケーションの選択時に、当該アプリケーションにて利用されるデータベースも併せて選択されるようにしても良い。
【００９７】
なお、以上ではタグラベル作成装置２のカートリッジホルダ部にカートリッジ１００が装着される（ステップＳ１１）と無線タグ回路素子ＴcからＩＤ情報を読み込む（ステップＳ１３）ようにしたが、これに限られず、例えばタグラベル作成装置２の装置電源が投入されると無線タグ回路素子ＴcからＩＤ情報を読み込むようにしてもよい。
【００９８】
図１２は、上述したようなタグラベル作成装置２操作用のアプリケーションの選択処理が行われ、上記ステップＳ１８又はステップＳ２３においてアプリケーションが起動された際に、端末５のディスプレイ５ａに表示される画面の一例を表す図である。
【００９９】
この図１２に示すように、この例では無線タグ回路素子Ｔoの用途種別が固定資産用となっており、無線タグ回路素子Ｔoに対応してカバーフィルム１０３に印刷される印字文字、及び無線タグ回路素子ＴoのＩＣ回路部１５１に記憶される無線タグ情報としての物品情報を入力するための入力欄が表示される。操作者が、端末５のキーボード５ｂを用いて印字文字欄に固定資産ナンバー、物品情報欄にその固定資産となる物品名、管理者欄に管理者名等を入力すると、それら入力情報が端末５から通信回線３及び入出力インターフェイス３１を介して制御回路３０に読み込まれる。これにより、後述するように無線タグラベル作成処理においてカバーフィルム１０３に上記印字文字Ｒ（ここでは固定資産Ｎｏ．）が印刷されると共に、無線タグ情報として上記物品情報が無線タグ回路素子ＴoのＩＣ回路部１５１に書き込まれる（後述の図１４参照）。なお、たとえばメモリ部１５７がリードオンリーメモリで構成されており、読み取りによる無線タグラベル作成の場合には、上記画面において物品情報が表示され、操作者は印字文字欄の固定資産ナンバーのみ入力することとなる。
【０１００】
なお、上記のような無線タグ回路素子Ｔoへの書き込み又は読み取りの際には、操作者により入力された物品情報がそのまま無線タグ情報としてＩＣ回路部１５１に書き込まれてもよいし、物品情報と無線タグ回路素子ＴoのＩＤ情報とが対応づけられてそのＩＤ情報がＩＣ回路部１５１に書き込まれるようにしてもよい。この場合の物品情報と無線タグ回路素子ＴoのＩＤ情報との対応関係は、例えば前述の情報サーバ７等に記憶され、必要に応じて参照できるようになっている。
【０１０１】
また、上記では一例として無線タグ回路素子Ｔoの用途種別が固定資産用である場合を示したが、これに限られず、名札管理用、オフィス文書管理用、汎用等、多種多様な用途に応じたアプリケーションが起動されるようになっている。
【０１０２】
図１３は、上述した図９のステップＳ１３の詳細手順を表すフローチャートである。
【０１０３】
図１３において、まず、ステップＳ３１において、無線タグ回路素子Ｔcからの応答がない場合にリトライを行う回数（アクセス試行回数）をカウントする変数Ｋを０に初期化する。
【０１０４】
その後、ステップＳ３２において、予め固定的に決められた所定の通信パラメータ（周波数帯域や通信プロトコル等）を用いて無線タグ回路素子Ｔcに記憶されたＩＤ情報を読み出す「Scroll All ID」コマンドを信号処理回路２２に出力する。これに基づき信号処理回路２２でアクセス情報としての「Scroll
All ID」信号が生成されて高周波回路２１を介してカートリッジ１００の無線タグ回路素子Ｔcに送信され、返信を促す。
【０１０５】
次に、ステップＳ３３において、上記「Scroll All ID」信号に対応してカートリッジ１００の無線タグ回路素子Ｔcから送信されたリプライ信号（カートリッジ情報）をアンテナ１９を介して受信し、高周波回路２１及び信号処理回路２２を介し取り込む（適宜のメモリに一旦格納してもよい）。
【０１０６】
次に、ステップＳ３４において、上記ステップＳ３３で受信したリプライ信号に誤りがないか否かを公知の誤り検出符号（ＣＲＣ符号；Cyclic Redundancy Check等）を用いて判定する。
【０１０７】
判定が満たされない場合はステップＳ３５に移ってＫに１を加え、さらにステップＳ３６においてＫが予め定められた所定のリトライ回数（この例では３回。それ以外の回数に適宜設定してもよい）となったかどうかが判定される。Ｋ≦２の場合は判定が満たされずステップＳ２２に戻り同様の手順を繰り返す。Ｋ＝３の場合はステップＳ３７に移り、エラー表示信号を入出力インターフェイス３１及び通信回線３を介し上記端末５又は汎用コンピュータ６に出力して読み取り失敗（エラー）表示を行わせ、このフローを終了する。このようにして読み取りが不調でも所定回数（この例では３回）までは再試行が行われる。ステップＳ３４の判定が満たされた場合、無線タグ回路素子Ｔcからのカートリッジ情報の読み取りが完了し、このフローを終了する。
【０１０８】
以上のルーチンにより、カートリッジ１００に設けられた無線タグ回路素子ＴcのＩＣ回路部１５１に記憶されたカートリッジ情報を読み出すことができる。
【０１０９】
図１４は、前述した図８のステップＳ１００の無線タグラベル作成処理の詳細手順を表すフローチャートである。
【０１１０】
まずステップＳ１１０において、先の図９で説明したアプリケーション選択処理によって選択されたアプリケーションを用いて端末５を介して入力操作された、アンテナ１４より無線タグ回路素子ＴoのＩＣ回路部１５１へ書き込むべき無線タグ情報と、印字ヘッド１０により無線タグラベルＴへ印字すべき印字情報とが、通信回線３及び入出力インターフェイス３１を介し読み込まれる。
【０１１１】
その後、ステップＳ１１５に移り、無線タグ回路素子Ｔｏからの応答がない場合にリトライ（再試行）を行う回数をカウントする変数Ｎ、及び通信良好か不良かを表すフラグＦを０に初期化する。
【０１１２】
次に、ステップＳ１２０において、カートリッジ駆動回路２４に制御信号を出力し、カートリッジ用モータ２３の駆動力によってリボン巻取りローラ１０６及び圧着ローラ１０７を回転駆動させる。これにより、第１ロール１０２から基材テープ１０１が繰り出され圧着ローラ１０７へ供給され、第２ロール１０４からはカバーフィルム１０３が繰り出される。またこのとき、印刷駆動回路２５に制御信号を出力し、印字ヘッド１０を通電して、カバーフィルム１０３のうち所定の領域（例えば基材テープ１０１に所定ピッチで等間隔で配置された無線タグ回路素子Ｔoの裏面に貼り合わせることとなる領域）に、上記ステップＳ１１０で読み込んだ文字、記号、バーコード等の印字Ｒを印刷させる。さらに送出ローラ駆動回路２９を介して送出ローラ用モータ２８に制御信号を出力し、送出ローラ１７を回転駆動させる。以上の結果、前述したように基材テープ１０１と上記印刷が終了したカバーフィルム１０３とが上記圧着ローラ１０７及びサブローラ１０９により接着されて一体化され、印字済タグラベル用テープ１１０として形成され、カートリッジ体１００外方向へと搬送される。
【０１１３】
その後、ステップＳ１２５において、印字済タグラベル用テープ１１０が所定値Ｃ（例えば、対応する印字が施されたカバーフィルム１０３が貼り合わされた無線タグ回路素子Ｔoが搬送ガイド１３に到達するだけの搬送距離）だけ搬送されたかどうかを判断する。このときの搬送距離判定は、例えば、上記基材テープ１０１に設けた適宜の識別用マークを別途設けた公知のテープセンサで検出することにより行えば足りる。判定が満たされたら、次のステップＳ１３０に移る。
【０１１４】
ステップＳ１３０では、無線タグ情報を無線タグ回路素子Ｔoに送信し書き込む書き込み処理を行う（詳細は後述の図１５を参照）。
【０１１５】
次のステップＳ１４０では、フラグＦ＝０であるかどうかが判定される。書き込み処理が正常に完了していればＦ＝０のまま（後述の図１５に示すフローのステップＳ１３８参照）であるので、この判定が満たされ、ステップＳ１４１に移る。一方、何らかの理由で書き込み処理が正常に完了していない場合はＦ＝１とされている（後述の図１５に示すフローのステップＳ１３８参照）のでこの判定が満たされず、ステップＳ１４５に移り、印刷駆動回路２５に制御信号を出力して印字ヘッド１０を通電を中止し印字を停止させる。このように印字中途停止によって当該無線タグ回路素子Ｔoが正常品でないことを明らかに表示するようにした後、後述のステップＳ１６０へ移る。
【０１１６】
ステップＳ１４１では、上記ステップＳ１３０で無線タグ回路素子Ｔoへ書き込んだ無線タグ情報と、これに対応して印字ヘッド１０により印字された印字情報との組み合わせが、入出力インターフェイス３１及び通信回線３を介して出力され、情報サーバ７やルートサーバ４に記憶される。なお、この記憶データは必要に応じて端末５又は汎用コンピュータ６より参照可能に例えばデータベース内に格納保持される。
【０１１７】
その後、ステップＳ１５０で、カバーフィルム１０３のうちこの時点で処理対象としている無線タグ回路素子Ｔoに対応する領域への印字がすべて完了しているかどうかを確認した後、ステップＳ１６０へ移る。
【０１１８】
ステップＳ１６０では、印字済タグラベル用テープ１１０がカッタ１５で切断されるべき所定位置にまで搬送されたかどうかを判定する。具体的には、例えば、対象とする無線タグ回路素子Ｔo及びこれに対応するカバーフィルム１０３の印字領域のすべてがカッタ１５を所定の長さ(余白量)分だけ越えたかどうかを、基材テープ１０１（詳細には例えば剥離紙１０１ｄ、あるいはカバーフィルム１０３等でもよい）に対し各無線タグ回路素子Ｔoに対応して設けた適宜の識別用マークをカートリッジ１００外（例えばカッタ１５のさらに搬送方向下流側）に設けた公知のテープセンサで検出することにより行えば足りる。またこのような検出を行わず、印字Ｒの印字文字長に所定の余白領域分を加えた長さが無線タグ回路素子Ｔoの全長を超えているかどうかを印字情報に基づき判定する（超えていれば、少なくともカバーフィルム１０３の印字が完了した段階でその余白領域外をカッタ１５で切断するようにすれば、貼り合わせられる無線タグ回路素子Ｔoを切断することは回避できるため）ことで代用してもよい。
【０１１９】
上記ステップＳ１６０の判定が満たされたら、ステップＳ１７０に移る。ステップＳ１７０では、カートリッジ駆動回路２４及び送出ローラ駆動回路２９に制御信号を出力し、カートリッジ用モータ２３及び送出ローラ用モータ２８の駆動を停止して、リボン巻取りローラ１０６、圧着ローラ１０７、送出ローラ１７の回転を停止する。これにより、第１ロール１０２からの基材テープ１０１の繰り出し、第２ロール１０４からのカバーフィルム１０３の繰り出し、及び送出ローラ１７による印字済タグラベル用テープ１１０の搬送が停止する。
【０１２０】
次のステップＳ１８０では、ソレノイド駆動回路２７に制御信号を出力してソレノイド２６を駆動し、カッタ１５によって印字済タグラベル用テープ１１０の切断を行う。前述したように、この時点で、例えば処理対象の無線タグ回路素子Ｔo及びこれに対応するカバーフィルム１０３の印字領域のすべてがカッタ１５を十分に越えており、このカッタ１５の切断によって、無線タグ回路素子Ｔoの無線タグ情報が読み取られかつこれに対応する所定の印字が行われたラベル状の無線タグラベルＴが生成される。
【０１２１】
その後、ステップＳ１９０に移り、送出ローラ用駆動回路２９に制御信号を出力し、送出ローラ用モータ２８の駆動を再開して、送出ローラ１７を回転させる。これにより、送出ローラ１７による搬送が再開されて上記ステップＳ１８０でラベル状に生成された無線タグラベルＴが搬出口１６へ向かって搬送され、搬出口１６から装置２外へと排出される。
【０１２２】
図１５は、上記ステップＳ１３０の詳細手順を表すフローチャートである。
【０１２３】
図１５において、図１４における前述のステップＳ１２５が終了すると、まずステップＳ１３１に移り、所望のデータをメモリ部１５７に書き込む「Program」コマンドを信号処理回路２２に出力する。これに基づき信号処理回路２２で本来書き込みたいＩＤ情報を含む無線タグ情報としての「Program」信号が生成されて高周波回路２１の送信部３２及びアンテナ１４を介して書き込み対象の無線タグ回路素子Ｔoに送信され、そのメモリ部１５７に情報が書き込まれる。
【０１２４】
その後、ステップＳ１３２において、メモリ部１５７の内容を確認する「Verify」コマンドを信号処理回路２２に出力する。これに基づき信号処理回路２２で無線タグ情報としての「Verify」信号が生成されて高周波回路２１の送信部３２及びアンテナ１４を介して書き込み対象の無線タグ回路素子Ｔoに送信され、返信を促す。
【０１２５】
そして、ステップＳ１３３に移り、上記「Verify」信号に対応して上記無線タグ回路素子Ｔoから送信（返信）されたリプライ（応答）信号をアンテナ１４を介して受信し、高周波回路２１の受信部３３及び信号処理回路２２を介し取り込む。
【０１２６】
次に、ステップＳ１３４において、上記ステップＳ１３３の受信結果に基づき、当該無線タグ回路素子Ｔoのメモリ部１５７内に記憶された情報を確認し、前述の送信した所定の情報がメモリ部１５７に正常に記憶されたか否かを判定する。
【０１２７】
判定が満たされない場合はステップＳ１３５に移ってＮに１を加え、さらにステップＳ１３６においてＮ＝５かどうかが判定される。Ｎ≦４の場合は判定が満たされずステップＳ１３１に戻り同様の手順を繰り返す。Ｎ＝５の場合はステップＳ１３７に移る。ステップＳ１３７では、エラー表示信号を入出力インターフェイス３１及び通信回線３を介し上記端末５又は汎用コンピュータ６へ出力し、対応する書き込み失敗（エラー）表示を行わせた後、ステップＳ１３８でフラグＦ＝１としてこのルーチンを終了する。このように、情報書き込みが不調でも５回までは再試行が行われることにより、書き込み信頼性の確保上、万全を期すことができる。
【０１２８】
一方、Ｓ１３４の判定が満たされたら、ステップＳ１３９に移り、以後の情報書き込みを禁止するための「Lock」コマンドを信号処理回路２２に出力する。これに基づき信号処理回路２２で「Lock」信号が生成されて高周波回路２１を介して情報書き込み対象の無線タグ回路素子Ｔoに送信され、当該無線タグ回路素子Ｔoへの新たな情報の書き込みが禁止される。これにより、書き込み対象とする無線タグ回路素子Ｔoへの無線タグ情報の書き込みが完了し、前述のようにして無線タグ回路素子Ｔoが排出される。ステップＳ１３９が終了したら、このフローを終了する。
【０１２９】
なお、以上は、無線タグ回路素子Ｔoに対し無線タグ情報を送信しＩＣ回路部１５１に書き込みを行って無線タグラベルＴを作成する場合を説明したが、これに限られず、予め所定の無線タグ情報が書き換え不可に記憶保持されている読み取り専用の無線タグ回路素子Ｔoから無線タグ情報を読み取りながら、これに対応する印字を行って無線タグラベルＴを作成する場合がある。
【０１３０】
この場合には、図１４におけるステップＳ１１０において印字情報のみを読み込み、ステップＳ１３０で無線タグ情報の読み込み処理を行うようにすればよい（詳細は後述の図１６参照）。その後ステップＳ１４１では印字情報とその読み込んだ無線タグ情報との組み合わせを保存する。
【０１３１】
図１６は、上記無線タグ読み取り処理の詳細手順を表すフローチャートである。
【０１３２】
この図１６において、ステップＳ２０１では、情報読み取り対象とする無線タグ回路素子Ｔoに記憶された情報を読み出す「Scroll All ID」コマンドを信号処理回路２２に出力する。これに基づき信号処理回路２２で無線タグ情報としての「Scroll
All ID」信号が生成されて高周波回路２１を介して読み取り対象の無線タグ回路素子Ｔoに送信され、返信を促す。
【０１３３】
次に、ステップＳ２０２において、上記「Scroll All ID」信号に対応して読み取り対象の無線タグ回路素子Ｔoから送信されたリプライ信号（タグＩＤ情報等を含む無線タグ情報）をアンテナ１４を介して受信し、高周波回路２１及び信号処理回路２２を介し取り込む。
【０１３４】
次に、ステップＳ２０３において、上記ステップＳ２０２で受信したリプライ信号に誤りがないか否かを公知の誤り検出符号（ＣＲＣ符号；Cyclic Redundancy Check等）を用いて判定する。
【０１３５】
判定が満たされない場合はステップＳ２０４に移ってＮに１を加え、さらにステップＳ２０５においてＮ＝５かどうかが判定される。Ｎ≦４の場合は判定が満たされずステップＳ２０１に戻り同様の手順を繰り返す。Ｎ＝５の場合はステップＳ２０６に移り、エラー表示信号を入出力インターフェイス３１及び通信回線３を介し上記端末５又は汎用コンピュータ６へ出力し、対応する読み取り失敗（エラー）表示を行わせた後、ステップＳ２０７でフラグＦ＝１としてこのルーチンを終了する。このように、情報読み取りが不調でも５回までは再試行が行われることにより、読み取り信頼性の確保上、万全を期すことができる。
【０１３６】
一方、ステップＳ２０３の判定が満たされた場合、読み取り対象とする無線タグ回路素子Ｔoからの無線タグ情報の読み取りが完了し、このルーチンを終了する。
【０１３７】
以上において、高周波回路２１の送信部３２、信号処理回路２２及び制御回路３０が、各請求項記載の、用途関連情報を記憶手段に書き込む書き込み制御手段を構成し、高周波回路２１の受信部３３、信号処理回路２２及び制御回路３０が、請求項４記載の、用途関連情報を読み込む読み込み制御手段を構成する。
【０１３８】
また、制御回路３０は、各請求項記載の、情報を記憶保持する記憶手段、表示信号を出力する表示信号出力手段、操作用ソフトウエア（アプリケーションまたはテンプレート）に関わる制御信号を出力するソフトウェア制御信号出力手段、及び相関読み込み指示信号を出力する相関読み込み指示信号出力手段を構成する。
【０１３９】
以上説明したように、本実施形態のタグラベル作成装置２においては、カートリッジ１００の筐体１００Ａに設けた無線タグ回路素子Ｔcに記憶されたＩＤ情報とアプリケーションとを１対１で関連づけ、その相関情報を情報サーバ７に記憶させておくことにより、カートリッジ１００及びこれに収納された無線タグ回路素子Ｔoとこれに対応する用途とを関連づけることができる。そして、この関連づけを用い、カートリッジ１００を用いて無線タグラベルＴを作成する際には、先に図９を用いて説明したように、カートリッジ１００をカートリッジホルダ部に装着すると無線タグ回路素子Ｔcに記憶されたＩＤ情報が読み込まれ、相関情報に基づきそのＩＤ情報と関連づけられたアプリケーション、すなわち無線タグ回路素子Ｔoの用途に応じたアプリケーションが確認表示され、操作者の承認を得て起動される。このように、本実施形態のタグラベル作成装置２によれば、カートリッジ１００の無線タグ回路素子Ｔoの用途に応じた操作用アプリケーションの起動や関連表示のための制御等、操作者のタグラベル作成の便宜を図る制御を、自動的に実行することが可能となる。この結果、操作者は、多種多様ないずれの用途に無線タグラベルＴを用いる場合であっても、面倒な操作（特にタグラベル作成装置の操作者の使いたい機能を選択する操作）を行うことなく、容易に目的の無線タグラベルＴを作成することができ、利便性を向上することができる。
【０１４０】
また本実施形態のタグラベル作成装置２においては、図９を用いて説明したように、用いようとするアプリケーションが既にＩＤ情報との関連づけがなされていてもその関連づけを変更したい場合等には、操作者がその関連づけを任意に新規登録することができる。すなわち、一旦無線タグ回路素子Ｔoとこれに対応する用途とを関連づけた後にも、必要に応じてその関連づけを変更することが可能である。これにより、例えば現状関連づけられているアプリケーションよりさらに機能性の高いアプリケーションが開発された場合等には、関連づけを変更してそのアプリケーションが自動的に実行されるようにすることができ、利便性をより向上できると共に、タグラベル作成装置２の拡張性をも向上することができる。
【０１４１】
なお、上記実施形態は、上記以外にも、その趣旨と技術思想の範囲を逸脱しない範囲でさらに種々の変形が可能である。以下、そのような変形例を順次説明する。
【０１４２】
（１）１つの無線タグ回路素子Ｔoに複数用途を対応させた場合
上記実施形態においては、情報サーバ７のメモリ等に予め記憶された相関情報により、無線タグ回路素子Ｔcに記憶されたＩＤ情報とタグラベル作成装置２操作用のアプリケーションとを１対１で関連づけている。すなわち、無線タグ回路素子Ｔoとこれに対応する用途とを１対１で対応させるようにしたが、これに限られず、１つの無線タグ回路素子Ｔoに複数の用途を対応させるようにしてもよい。
【０１４３】
図１７は、本変形例におけるアプリケーションの選択処理の詳細手順を表すフローチャートであり、前述の図９に対応する図面である。
【０１４４】
図１７において、ステップＳ１１〜ステップＳ１４までは図９と同様であるので説明を省略する。ステップＳ１４において、操作者により新規登録をしない旨が入力された場合には、判定が満たされずに次のステップＳ６０に移る。
【０１４５】
ステップＳ６０では、アプリケーションの検索処理を行う（後述の図１８参照）。
【０１４６】
次のステップＳ１７では、上記ステップＳ６０で検索されたアプリケーションが承認されたか否かを判定する。具体的には、操作者により端末５のキーボード５ｂを介して承認するか否かが入力され、その入力信号が通信回線３及び入出力インターフェイス３１を介して制御回路３０に入力されたかどうかを判定する。承認されなかった場合には判定が満たされずにステップＳ６０に戻る。一方、承認された場合には判定が満たされて次のステップＳ８０に移る。
【０１４７】
ステップＳ８０では、通信回線３及び入出力インターフェイス３１を介して端末５のＲＡＭ等から上記ステップＳ６０で選択されたアプリケーションのアプリケーションカウンタ（使用回数）Ｎを読み込み、１を加えて、入出力インターフェイス３１及び通信回線３を介して端末５のＲＡＭ等に記憶更新させる。そして次のステップＳ１８に移る。
【０１４８】
ステップＳ１８では、入出力インターフェイス３１及び通信回線３を介して端末５のＣＰＵに制御信号（ソフトウェア指示信号）を出力し、当該アプリケーションを起動させる。
【０１４９】
なお、ステップＳ１９〜ステップＳ２３については図９と同様であるので説明を省略する。
【０１５０】
図１８は、上述したステップＳ６０の詳細手順を表すフローチャートである。
【０１５１】
図１８において、まずステップＳ６１では、例えば情報サーバ７に制御信号（相関読み込み指示信号）を出力し、情報サーバ７のメモリ等に予め記憶された、無線タグ回路素子Ｔcに記憶されたＩＤ情報とタグラベル作成装置２操作用のアプリケーションとが関連づけられた相関情報を、通信回線３及び入出力インターフェイス３１を介して読み込む。そして、この読み込んだ相関情報を制御回路３０が有する前記ＲＡＭに一次的に記憶する。ここで、本変形例では、上記相関情報によって１つのＩＤ情報に対し複数のアプリケーションが関連づけられている。
【０１５２】
次のステップＳ６２では、上記ステップＳ６１でＲＡＭに記憶した相関情報に基づいて、先のステップＳ１３で無線タグ回路素子Ｔcから読み取ったＩＤ情報と関連づけられた複数のアプリケーションを選択する。そして、通信回線３及び入出力インターフェイス３１を介して端末５から上記選択したアプリケーション情報（例えばアプリケーションの名称等。選択されたアプリケーションが判別できる情報であればよい）を読み込む（言い換えれば無線タグ回路素子Ｔoの用途を読み込むことに相当する）。
【０１５３】
次のステップＳ６３では、通信回線３及び入出力インターフェイス３１を介し、上記ステップＳ６２で選択した複数のアプリケーションのそれぞれに対応したアプリケーションカウント値Ｎを読み込む。なお、アプリケーションカウント値Ｎは、当該アプリケーションが使用（起動）された回数を示す値で作成履歴情報にあたり、使用される度に積算され（図１７のステップＳ８０参照）端末５のＲＡＭ等に記憶されている。なお、このアプリケーションカウント値Ｎは、上記相関情報とともに（あるいは含ませる形で）情報サーバ７に記憶しておいてもよい。あるいは、アプリケーションカウント値Ｎを、情報サーバ７でなくＩＤ情報とともに無線タグ回路素子Ｔcに記憶しておくようにしてもよい。
【０１５４】
次のステップＳ６４では、上記ステップＳ６３で読み込んだ複数のアプリケーションの中から、アプリケーションカウント値Ｎが最大であるアプリケーションを検索し、選択する。
【０１５５】
次のステップＳ６５では、入出力インターフェイス３１及び通信回線３を介して端末５のＣＰＵに制御信号（ソフトウェア確認表示信号）を出力し、ディスプレイ５ａに上記ステップＳ６４で選択したアプリケーションの名称等（例えば記号、アイコン等でもよい。すなわち、選択されたアプリケーションが判別できる表示であればよい）を表示させる（言い換えれば用途を表示させることに相当する）と共に、この選択アプリケーションを承認するか否かを問うメッセージを表示させる。なお、選択アプリケーション１つのみを表示するのではなく、当該選択アプリケーションが他のものと識別可能（上位表示、強調表示等）としつつ、他のものと併せて表示してもよい。この場合、例えば上記アプリケーションカウント値Ｎが大きい（使用頻度の高い）順に上位に表示させてもよい。以上で本フローを終了する。
【０１５６】
なお、以上では、対応づけられた複数のアプリケーションから使用回数が最も多いアプリケーションを自動的に選択するようにしたが、これに限られず、例えば対応づけられた複数のアプリケーションを一覧表示して、その中から操作者が選択入力するようにしてもよい。図１９（ａ）及び図１９（ｂ）はこのときの表示の一例を表している。この例ではアプリケーションを表示する順序（上下の位置）は例えば過去の使用頻度に対応したアプリケーションポイントにより決められており、図１９（ａ）は固定資産管理のアプリケーションポイントが最大で最も上位に表示された例であり、図１９（ｂ）は名札管理のアプリケーションポイントが最大で最も上位に表示された例である。あるいはまた、固定的に定められた所定の順番でアプリケーションを順次表示して、その中から操作者が選択入力するようにしてもよい。
【０１５７】
本変形例においても、操作者が多種多様ないずれの用途に無線タグラベルＴを用いる場合であっても容易に無線タグラベルＴを作成することができ、利便性を向上することができるという上記実施形態と同様の効果を得る。
【０１５８】
（２）局所的なネットワークを用いる場合
以上は、タグラベル作成装置２、端末５等が通信回線３を介して（広域の）ネットワークに組み込まれた場合を例にとって説明したが、これに限られない。すなわち、例えば図２０に示すように、タグラベル作成装置２と端末５が（その他の外部回線とは接続しない）局所的なネットワーク（いわゆるＬＡＮ等）によって接続され、これらによって無線タグ生成システム１′を形成しても良い。
【０１５９】
この場合、無線タグ回路素子Ｔcに記憶されたＩＤ情報とタグラベル作成装置２操作用のアプリケーションとが関連づけられた相関情報は、例えば端末５のＲＯＭやＲＡＭ等のメモリ（データベース）に記憶される。したがって、アプリケーションを選択する際には、タグラベル作成装置２の制御回路３０は、端末５（ＣＰＵ）に制御信号（相関読み込み指示信号）を出力し、端末５のメモリに記憶された相関情報を局所的なネットワークを介して読み込む。そして、この相関情報に基づいて、無線タグ回路素子Ｔcから読み取ったＩＤ情報と関連づけられたアプリケーションを選択する。その後、端末５のディスプレイ５ａに上記選択したアプリケーションの確認表示を行い、操作者の承認を経て起動する処理については前述と同様であるので説明を省略する。
【０１６０】
本変形例によっても、上記実施形態や（１）の変形例と同様の効果を得ることができる。
【０１６１】
（３）タグラル作成装置単体がすべての機能を備える場合
すなわち、上記（２）の変形例における端末５の機能をすべてタグラベル作成装置２側に備えるようにしてもよい。この場合、タグラベル作成装置２は、データベースとして機能する何らかの記憶手段と、アプリケーションの表示等を行う表示手段（ディスプレイ）、及び操作者が操作入力する操作手段（キーボード、マウス、タッチパネル等）を備えている。
【０１６２】
この場合、無線タグ回路素子Ｔcに記憶されたＩＤ情報とタグラベル作成装置２操作用のアプリケーションとが関連づけられた相関情報は、上記タグラベル作成装置２に備えられる記憶手段（データベース）に記憶される。したがって、アプリケーションを選択する際には、タグラベル作成装置２の制御回路３０は、上記記憶手段に記憶された相関情報を読み込み、この相関情報に基づいて、無線タグ回路素子Ｔcから読み取ったＩＤ情報と関連づけられたアプリケーションを選択する。その後、上記表示手段に上記選択したアプリケーションの確認表示を行い、操作者の承認を得て当該アプリケーションを起動させる。
【０１６３】
本変形例によっても、上記実施形態や（１）及び（２）の変形例と同様の効果を得ることができる。
【０１６４】
なお、以上説明した実施形態及び変形例においては、用途関連情報として無線タグ回路素子ＴcにＩＤ情報を記憶させておき、このＩＤ情報とアプリケーションとを相関情報を用いて対応させるようにしたが、これに限られない。すなわち、無線タグ回路素子Ｔcに無線タグ回路素子Ｔoの用途情報（例えば固定資産用、名札用、オフィス用、汎用等）をそのまま記憶させ、この用途情報とアプリケーションとを相関情報を用いて対応させるようにしてもよい。また、無線タグ回路素子Ｔcに、アプリケーション情報を直接記憶させるようにしてもよい。この場合、相関情報を格納するデータベースが不要になるという利点を有する。
【０１６５】
また、以上説明した実施形態及び変形例においては、選択アプリケーションに対する操作者の承認を得るために、アプリケーションの名称等の表示を行うようにしたが、これに限られず、例えば用途（例えば固定資産用、名札用、オフィス用、汎用等）を表示するようにしてもよい。この場合、アプリケーションの名称等を知らない操作者であってもその用途をもって承認をすることができる。
【０１６６】
また、既に述べた以外にも、上記実施形態や各変形例による手法を適宜組み合わせて利用しても良い。
【０１６７】
なお、以上で用いた「Scroll All ID」信号、「Erase」信号、「Verify」信号、「Program」信号等は、ＥＰＣ  ｇｌｏｂａｌが策定したＡｕｔｏ−ＩＤ仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ
Ｃｏｕｎｃｉｌ（ＵＣＣ）が共同で設立した非営利法人である。なお、他の規格に準拠した信号でも、同様の機能を果たすものであればよい。
【０１６８】
その他、一々例示はしないが、本発明は、その趣旨を逸脱しない範囲内において、種々の変更が加えられて実施されるものである。
【図面の簡単な説明】
【０１６９】
【図１】本発明のタグラベル作成装置の一実施形態が適用される無線タグ生成システムを表すシステム構成図である。
【図２】本発明のタグラベル作成装置の一実施形態の詳細構造を表す概念的構成図である。
【図３】カートリッジの詳細構造を説明するための説明図である。
【図４】高周波回路の詳細機能を表す機能ブロック図である。
【図５】無線タグ回路素子の機能的構成を表す機能ブロック図である。
【図６】無線タグラベルの外観の一例を表す上面図及び下面図である。
【図７】図６中VII−VII′断面による横断面図である。
【図８】制御回路によって実行される制御手順を表すフローチャートである。
【図９】図８に示したステップＳ１０の詳細手順を表すフローチャートである。
【図１０】端末のディスプレイの表示画面の一例を表す図である。
【図１１】端末のディスプレイの表示画面の一例を表す図である。
【図１２】図９に示したステップＳ１８又はステップＳ２３においてアプリケーションが起動した際に端末のディスプレイに表示される画面の一例を表す図である。
【図１３】図９に示したステップＳ１３の詳細手順を表すフローチャートである
【図１４】図８に示したステップＳ１００の詳細手順を表すフローチャートである。
【図１５】図１４に示したステップＳ１３０の詳細手順を表すフローチャートである。
【図１６】無線タグ回路素子から無線タグ情報を読み取りながらこれに対応する印字を行って無線タグラベルを作成する場合における、無線タグ読み取り処理の詳細手順を表すフローチャートである。
【図１７】複数用途を対応させた変形例におけるアプリケーションの選択処理の詳細手順を表すフローチャートである。
【図１８】図１７に示したステップＳ６０の詳細手順を表すフローチャートである。
【図１９】端末のディスプレイの表示画面の一例を表す図である。
【図２０】タグラベル作成装置と端末とを局所的なネットワークによって接続した変形例を表す図である。
【符号の説明】
【０１７０】
１        無線タグ生成システム（タグラベル作成システム）
５        端末（操作端末）
５ａ      ディスプレイ（表示手段）
７        情報サーバ（外部記憶装置）
１４      アンテナ（装置側アンテナ手段）
１９      アンテナ（装置側アンテナ手段）
２２      信号処理回路（書き込み制御手段、読み込み制御手段）
３０      制御回路（記憶手段、表示信号出力手段、ソフトウェア制御信号出力
手段、相関読み込み指示信号出力手段、書き込み制御手段、読み込み
制御手段）
３２      送信部（書き込み制御手段）
３３      受信部（読み込み制御手段）
１００    カートリッジ（無線タグ回路素子カートリッジ）
Ｔc     無線タグ回路素子（記憶手段、用途関連情報用無線タグ回路素子）
Ｔo     無線タグ回路素子（タグラベル用無線タグ回路素子）
【図１】
2006209160.tif 000003
【図２】
2006209160.tif 000004
【図３】
2006209160.tif 000005
【図４】
2006209160.tif 000006
【図５】
2006209160.tif 000007
【図６】
2006209160.tif 000008
【図７】
2006209160.tif 000009
【図８】
2006209160.tif 000010
【図９】
2006209160.tif 000011
【図１０】
2006209160.tif 000012
【図１１】
2006209160.tif 000013
【図１２】
2006209160.tif 000014
【図１３】
2006209160.tif 000015
【図１４】
2006209160.tif 000016
【図１５】
2006209160.tif 000017
【図１６】
2006209160.tif 000018
【図１７】
2006209160.tif 000019
【図１８】
2006209160.tif 000020
【図１９】
2006209160.tif 000021
【図２０】
2006209160.tif 000022